(57)【要約】【課題】表示領域全体の表示内容を一度に変更することなく、表示されている画像と並び順序が連続する画像を表示する。【解決手段】表示装置は、複数の分割表示領域に分割された表示領域を有し、並び順序が決められた画像をその分割表示領域に表示する記憶性表示体を備える。そして、表示装置は、記憶性表示体の複数の分割表示領域の中からいずれかを選択し、記憶性表示体の分割表示領域に表示されている画像のうち、並び順序が最大又は最小の画像と並び順序が連続する並び画像を、選択された記憶性表示体の分割表示領域に表示させる制御を行う。【選択図】図５
2010085816.tif 000002
【特許請求の範囲】
【請求項１】
複数の分割表示領域に分割された表示領域を有し、並び順序が決められた画像を当該分
割表示領域に表示する表示手段と、
前記表示手段の複数の分割表示領域の中からいずれかを選択する領域選択手段と、
前記表示手段の分割表示領域に表示されている画像のうち前記並び順序が最大又は最小
の画像と並び順序が連続する並び画像を、前記領域選択手段によって選択された前記表示
手段の分割表示領域に表示させる制御を行う表示制御手段と
を備えることを特徴とする表示装置。
【請求項２】
前記領域選択手段は、前記複数の分割表示領域のうち画像の表示されたタイミングが最
も古い分割表示領域を選択する
ことを特徴とする請求項１に記載の表示装置。
【請求項３】
前記表示制御手段は、
順方向の並び順序に従って画像を表示させるよう指示された場合には、前記表示手段の
分割表示領域に表示されている画像のうち前記並び順序が最大の画像の１つ後ろの並び順
序の並び画像を表示させる制御を行い、
当該順方向と逆の方向の並び順序に従って画像を表示させるよう指示された場合には、
前記表示手段の分割表示領域に表示されている画像のうち前記並び順序が最小の画像の１
つ前の並び順序の並び画像を表示させる制御を行う
ことを特徴とする請求項１又は２に記載の表示装置。
【請求項４】
操作を受け付ける操作受付手段と、
前記操作受付手段が受け付けた操作の内容に基づいて、前記表示手段の表示内容を更新
する時間を設定する設定手段とを備え、
前記表示制御手段は、前記設定手段によって時間が設定された後に当該時間が経過する
と、前記領域選択手段によって選択された分割表示領域に前記並び画像を表示させる制御
を行う
ことを特徴とする請求項１から３のいずれか１項に記載の表示装置。
【請求項５】
前記設定手段は、前記時間を設定した後に前記操作受付手段が新たな操作を受け付ける
と、当該新たな操作の内容に基づいて、前記設定した時間を変更する
ことを特徴とする請求項４に記載の表示装置。
【請求項６】
前記表示制御手段は、前記領域選択手段によって選択されたいずれかの分割表示領域に
前記並び画像が既に表示されている場合には、当該並び画像の表示を行わない
ことを特徴とする請求項１に記載の表示装置。
【請求項７】
コンピュータを、
複数の分割表示領域に分割された表示領域を有し、並び順序が決められた画像を当該分
割表示領域に表示する表示手段の複数の分割表示領域の中からいずれかを選択する領域選
択手段と、
前記表示手段の分割表示領域に表示されている画像のうち前記並び順序が最大又は最小
の画像と並び順序が連続する並び画像を、前記領域選択手段によって選択された前記表示
手段の分割表示領域に表示させる制御を行う表示制御手段
として機能させるためのプログラム。
【発明の詳細な説明】
【技術分野】
【０００１】
本発明は、並び順序が決められた複数の画像を表示する技術に関する。
【背景技術】
【０００２】
複数のページに区切られた画像を、そのページ順序に従って表示していく技術が知られ
ている。例えば、特許文献１には、スクロールバーやページ送り／戻りキーの操作に応じ
て、各ページの画像をスクロール表示する技術が開示されている。
【特許文献１】特開２００１−６０１３５号公報
【発明の開示】
【発明が解決しようとする課題】
【０００３】
ところで、電子ペーパなどの表示装置では、表示領域の全体にわたる画像を書き換える
場合には、画像の書き換えに時間がかかるため、上述した特許文献１のようなスクロール
表示を行うには適さない。そこで、表示領域全体の表示内容を一度に変更することなく、
連続するページ順序の画像を表示していくような仕組みが望まれている。
本発明は、表示領域全体の表示内容を一度に変更することなく、表示されている画像と
並び順序が連続する画像を表示することを目的とする。
【課題を解決するための手段】
【０００４】
本発明は、複数の分割表示領域に分割された表示領域を有し、並び順序が決められた画
像を当該分割表示領域に表示する表示手段と、前記表示手段の複数の分割表示領域の中か
らいずれかを選択する領域選択手段と、前記表示手段の分割表示領域に表示されている画
像のうち前記並び順序が最大又は最小の画像と並び順序が連続する並び画像を、前記領域
選択手段によって選択された前記表示手段の分割表示領域に表示させる制御を行う表示制
御手段とを備えることを特徴とする表示装置を提供する。これにより、表示領域全体の表
示内容を一度に変更することなく、表示されている画像と並び順序が連続する画像を表示
することができる。
【０００５】
本発明の好ましい態様において、前記領域選択手段は、前記複数の分割表示領域のうち
画像の表示されたタイミングが最も古い分割表示領域を選択してもよい。これにより、利
用者が既に見終わっていると考えられる画像に代えて、表示されている画像と並び順序が
連続する画像を表示することができる。
【０００６】
本発明の好ましい態様において、前記表示制御手段は、順方向の並び順序に従って画像
を表示させるよう指示された場合には、前記表示手段の分割表示領域に表示されている画
像のうち前記並び順序が最大の画像の１つ後ろの並び順序の並び画像を表示させる制御を
行い、当該順方向と逆の方向の並び順序に従って画像を表示させるよう指示された場合に
は、前記表示手段の分割表示領域に表示されている画像のうち前記並び順序が最小の画像
の１つ前の並び順序の並び画像を表示させる制御を行ってもよい。これにより、指示され
た並び順序の方向に沿った画像を表示することができる。
【０００７】
本発明の好ましい態様においては、操作を受け付ける操作受付手段と、前記操作受付手
段が受け付けた操作の内容に基づいて、前記表示手段の表示内容を更新する時間を設定す
る設定手段とを備え、前記表示制御手段は、前記設定手段によって時間が設定された後に
当該時間が経過すると、前記領域選択手段によって選択された分割表示領域に前記並び画
像を表示させる制御を行ってもよい。これにより、表示手段の表示内容を更新する時間を
設定することができる。
【０００８】
本発明の好ましい態様において、前記設定手段は、前記時間を設定した後に前記操作受
付手段が新たな操作を受け付けると、当該新たな操作の内容に基づいて、前記設定した時
間を変更してもよい。これにより、利用者の操作に追従して、表示手段の表示内容を更新
する時間を変更することができる。
【０００９】
本発明の好ましい態様において、前記表示制御手段は、前記領域選択手段によって選択
されたいずれかの分割表示領域に前記並び画像が既に表示されている場合には、当該並び
画像の表示を行わなくてもよい。これにより、既に表示されている画像を再び表示させる
という処理を行わずに済む。
【００１０】
本発明は、コンピュータを、複数の分割表示領域に分割された表示領域を有し、並び順
序が決められた画像を当該分割表示領域に表示する表示手段の複数の分割表示領域の中か
らいずれかを選択する領域選択手段と、前記表示手段の分割表示領域に表示されている画
像のうち前記並び順序が最大又は最小の画像と並び順序が連続する並び画像を、前記領域
選択手段によって選択された前記表示手段の分割表示領域に表示させる制御を行う表示制
御手段として機能させるためのプログラムを提供する。これにより、表示領域全体の表示
内容を一度に変更することなく、表示されている画像と並び順序が連続する画像を表示す
ることができる。
【発明を実施するための最良の形態】
【００１１】
（構成）
図１は、本実施形態に係る表示装置１の構成を示すブロック図である。この表示装置１
は、例えば電子ペーパである。同図に示すように、表示装置１は、ＣＰＵ（Central Proc
essing Unit）１１と、ＲＡＭ（Random Access Memory）１２と、ＲＯＭ（Read Only Mem
ory）１３と、記憶部１４と、操作部１５と、記憶性表示体１６と、タッチパネル１７と
を備えている。本実施形態では、表示手段として記憶性表示体１６を用い、操作受付手段
としてタッチパネル１７を用い、領域選択手段、表示制御手段及び設定手段としてＣＰＵ
１１を用いている。ＣＰＵ１１は、ＲＯＭ１３又は記憶部１４に記憶されているプログラ
ムを実行して、各種の処理を行う。ＲＡＭ１２は、ＣＰＵ１１がプログラムを実行する際
のワークエリアとして使用される。ＲＯＭ１３は、表示装置１の起動に必要なプログラム
やデータを記憶している。記憶部１４は、例えばフラッシュメモリであり、ＣＰＵ１１に
よって実行されるプログラムの他に、画像データや領域特定情報Ｄ１などを記憶している
。この画像データは、記憶性表示体１６に表示される画像を表すデータであり、複数のペ
ージに区切られている。操作部１５は、例えば操作ボタンなどを有しており、利用者の操
作に応じた操作信号をＣＰＵ１１に入力する。記憶性表示体１６は、表示領域や駆動回路
などを有しており、ＣＰＵ１１によって指示された画像を表示領域に表示する。この表示
領域は、電子泳動素子などの複数の表示素子によって構成されている。この記憶性表示体
１６は、表示の記憶性を有しており、表示素子が駆動されて画像を表示するまでの駆動期
間においては電力が必要であるが、その駆動期間が経過して画像が表示された後は、電力
が供給されなくてもその画像を表示し続けることができる。タッチパネル１７は、記憶性
表示体１６の表示領域への接触を感知し、その接触位置に応じた検出信号をＣＰＵ１１に
入力する。
【００１２】
ここで、図２を参照して、記憶性表示体１６の表示領域について説明する。図２は、記
憶性表示体１６の表示領域を示す図である。同図に示すように、記憶性表示体１６の表示
領域は、分割表示領域ｒ１〜ｒ４に分割されている。この分割表示領域ｒ１〜ｒ４には、
それぞれ異なる領域番号が割り当てられている。ここでは、分割表示領域ｒ１には領域番
号「０１」が、分割表示領域ｒ２には領域番号「０２」が、分割表示領域ｒ３には領域番
号「０３」が、分割表示領域ｒ４には領域番号「０４」が割り当てられているものとする
。この分割表示領域ｒ１〜ｒ４には、各ページの画像が表示されるようになっており、分
割表示領域ｒ１→ｒ２→ｒ３→ｒ４の順番で分割表示領域毎に画像の書き換えが行われる
ようになっている。つまり、記憶性表示体１６は、複数の分割表示領域に分割された表示
領域を有し、並び順序が決められた画像をこの分割表示領域に表示するものである。
【００１３】
次に、図３を参照して、記憶部１４に記憶されている領域特定情報Ｄ１について説明す
る。図３は、領域特定情報Ｄ１の一例を示す図である。同図に示すように、この領域特定
情報Ｄ１においては、「領域番号」と「更新領域番号」とが対応付けられている。「領域
番号」は、記憶性表示体１６の各分割表示領域に割り当てられた識別情報である。「更新
領域番号」は、新たに画像が表示される分割表示領域の領域番号である。この領域特定情
報Ｄ１においては、「領域番号」に１を足した領域番号が「更新領域番号」として対応付
けられている。ただし、領域番号「０４」には、更新領域番号として「０１」が対応付け
られている。上述したように、記憶性表示体１６においては、分割表示領域ｒ１→ｒ２→
ｒ３→ｒ４の順番で画像の書き換えが行われる。つまり、この領域特定情報Ｄ１では、分
割表示領域の「領域番号」に対して、最後に書き換えられた画像がその分割表示領域に表
示されているときに、書き換えられたタイミングが最も古い画像が表示されている分割表
示領域の領域番号が「更新領域番号」として対応付けられていることになる。この領域特
定情報Ｄ１では、領域番号「０１」と、更新領域番号「０２」とが対応付けられている。
これは、領域番号「０１」の分割表示領域ｒ１に最後に書き換えられた画像が表示されて
いるときには、領域番号「０２」の分割表示領域ｒ２に新たに画像が表示されることを表
している。
【００１４】
（動作）
次に、表示装置１の動作について説明する。
まず、図４を参照して、ページめくり速度及びページめくり方向を指定する操作につい
て説明する。利用者は、タッチペンなどを用いてタッチパネル１７を操作して、ページめ
くり速度及びページめくり方向を指定する。例えば、利用者が、タッチペンを図中の位置
Ｐ０に接触させた後、そのまま図中のｙ方向に移動させた場合を想定する。この場合、Ｃ
ＰＵ１１は、まず位置Ｐ０を通り、図中のｘ方向に延びる直線を基準線Ｌとして設定する
。続いて、ＣＰＵ１１は、タッチペンのｙ方向への移動量が大きいほど、前回のページめ
くり速度よりも加速したページめくり速度を決定する。この前回のページめくりの速度は
、ＲＡＭ１２などに記憶されているものとする。続いて、ＣＰＵ１１は、決定したページ
めくり速度が正の速度であるか否かを判定し、正の速度である場合には、ページめくり方
向を順方向に決定し、負の速度である場合にはページめくり方向を逆方向に決定する。そ
して、ＣＰＵ１１は、決定したページめくり速度及びページめくり方向を表す情報を、ペ
ージめくり情報としてＲＡＭ１２に記憶させる。
【００１５】
一方、利用者が、タッチペンを図中の位置Ｐ０に接触させた後、そのまま図中のｙ方向
と逆の方向に移動させた場合を想定する。この場合、ＣＰＵ１１は、上述と同様に基準線
Ｌを設定した後、タッチペンのｙ方向と逆方向への移動量が大きいほど、前回のページめ
くり速度よりも減速したページめくり速度を決定する。このとき、タッチペンが図中のｙ
方向と逆の方向にどんどん移動されていくと、ページめくり速度はある時点から負の速度
になる。続いて、ＣＰＵ１１は、上述と同様に、決定したページめくり速度が正の速度で
あるか否かに基づいてページめくり方向を決定する。そして、ＣＰＵ１１は、決定したペ
ージめくり速度及びページめくり方向を表す情報を、ページめくり情報としてＲＡＭ１２
に記憶させる。このようにして、ページめくり速度及びページめくり方向が指定されると
、ＣＰＵ１１は、以下のページめくり処理を開始する。なお、利用者がタッチペンをタッ
チパネル１７上から離した場合、ＣＰＵ１１はこのページめくり処理を中断する。
【００１６】
次に、表示装置１にて行われるページめくり処理について説明する。
図５は、ページめくり処理において記憶性表示体１６の表示領域に表示される画像を示
す図であり、図６は、ページめくり処理を示すフロー図である。ここでは、記憶性表示体
１６の表示領域に図５（ａ）に示すページの画像が表示されているときに、利用者によっ
てタッチパネル１７が操作されて、順方向のページめくり方向が指定された場合を想定す
る。また、前回のページめくり方向も順方向であるものとする。まず、ＣＰＵ１１は、Ｒ
ＡＭ１２に記憶されたページめくり情報に基づいて、利用者によって指定されたページめ
くり速度及びページめくり方向を特定する（ステップＳＡ１１）。続いて、ＣＰＵ１１は
、前回のページめくり方向に対して、ステップＳＡ１１にて特定したページめくり方向が
逆転しているか否かを判定する（ステップＳＡ１２）。例えば、ページめくり方向が逆転
している場合（ステップＳＡ１２：ＹＥＳ）、ＣＰＵ１１は、記憶部１４に記憶されてい
る領域特定情報Ｄ１を変更した後（ステップＳＡ１３）、ステップＳＡ１４に進む。一方
、この例では、上述したように前回のページめくり方向が順方向であり、ステップＳＡ１
１にて特定されるページめくり方向と同じであるため、ＣＰＵ１１はページめくり方向が
逆転していないと判定する（ステップＳＡ１２：ＮＯ）。この場合、ＣＰＵ１１は、ステ
ップＳＡ１１にて特定したページめくり速度に基づいて更新時間を設定する（ステップＳ
Ａ１４）。つまり、ＣＰＵ１１は、タッチパネル１７が受け付けた操作の内容に基づいて
、記憶性表示体１６の表示内容を更新する時間を設定する。このとき、ＣＰＵ１１は、ペ
ージめくり速度が速いほど更新時間を短く設定し、ページめくり速度が遅いほど更新時間
を長く設定する。続いて、ＣＰＵ１１は、タイマーをスタートさせて、時間の計測を開始
する（ステップＳＡ１５）。
【００１７】
続いて、ＣＰＵ１１は、ステップＳＡ１１にて特定されたページめくり方向に基づいて
、新たに表示する画像のページを特定する（ステップＳＡ１６）。具体的には、ＣＰＵ１
１は、ステップＳＡ１１にて特定したページめくり方向が順方向である場合には、記憶性
表示体１６に表示されている画像のうちページ番号（並び順序）が最大の画像の１つ後ろ
のページ（並び順序）を特定する。一方、ＣＰＵ１１は、ステップＳＡ１１にて特定した
ページめくり方向が逆方向である場合には、記憶性表示体１６に表示されている画像のう
ち最後に表示された画像の１つ前のページを特定する。この例では、ステップＳＡ１１に
て順方向のページめくり方向が特定されるため、図５（ａ）に示した画像の中でページ番
号が最も大きい４ページの１つ後ろのページ、すなわち５ページが特定される。
【００１８】
続いて、ＣＰＵ１１は、記憶部１４に記憶されている画像データに基づいて、特定した
ページの画像を表す画像データを作成する（ステップＳＡ１７）。この例では、記憶部１
４に記憶されている画像データの５ページ目が抽出されて、５ページ目の画像を表す画像
データが作成される。このとき、画像データの画像サイズは、記憶性表示体１６の分割表
示領域に収まるような大きさに変更される。続いて、ＣＰＵ１１は、記憶部１４に記憶さ
れている領域特定情報Ｄ１に基づいて、記憶性表示体１６の複数の分割表示領域の中から
新たに画像が表示される分割表示領域を選択する（ステップＳＡ１８）。具体的には、Ｃ
ＰＵ１１は、領域特定情報Ｄ１の「領域番号」の中から、最後に書き換えられた画像が表
示されている分割表示領域の「領域番号」を判別する。続いて、ＣＰＵ１１は、領域特定
情報Ｄ１において、判別した「領域番号」に対応付けられた「更新領域番号」を特定し、
特定した「更新領域番号」の分割表示領域を選択する。つまり、ＣＰＵ１１は、記憶性表
示体１６の複数の分割表示領域のうち画像の表示されたタイミングが最も古い分割表示領
域を選択することになる。このとき、画像の表示されたタイミングの最も古い分割表示領
域が選択されるのは、その分割表示領域に表示されている画像の表示時間が最も長いため
、利用者が既にこの画像を見終わっている可能性が高いと考えられるためである。ここで
は、最後に書き換えられた画像が分割表示領域ｒ４に表示されている場合を想定する。こ
の場合には、図３に示した領域特定情報Ｄ１において分割表示領域ｒ４の領域番号「０４
」と更新領域番号「０１」とが対応付けられているため、領域番号「０１」が割り当てら
れた分割表示領域ｒ１が選択される。
【００１９】
続いて、ＣＰＵ１１は、タイマーが計測した時間に基づいて、ステップＳＡ１４にて設
定した更新時間が経過したか否かを判定する（ステップＳＡ１９）。更新時間が経過して
いない場合（ステップＳＡ１９：ＮＯ）、ＣＰＵ１１は、更新時間が経過するまで待機す
る。一方、更新時間が経過した場合（ステップＳＡ１９：ＹＥＳ）、ＣＰＵ１１は、ステ
ップＳ１７にて作成した画像データに応じた画像を、ステップＳＡ１８にて選択した記憶
性表示体１６の分割表示領域に表示させる（ステップＳＡ２０）。つまり、ＣＰＵ１１は
、上述した処理にて更新時間が設定された後にこの更新時間が経過すると、記憶性表示体
１６の表示領域に表示されている画像のうち、並び順序が最大又は最小の画像と並び順序
が連続する画像を、上述した処理にて選択された記憶性表示体１６の分割表示領域に表示
させる制御を行う。この例では、図５（ｂ）に示すように、分割表示領域ｒ１の画像が書
き換えられて、５ページ目の画像が表示される。なお、分割表示領域ｒ２〜ｒ４では、画
像が書き換えられておらず、図５（ａ）に示した画像と同じ画像が表示され続けている。
このようにして、新たなページの画像が表示されると、ＣＰＵ１１は、再びステップＳＡ
１１に戻り、上述と同様のページめくり処理を繰り返す。これにより、次のページめくり
処理では、図５（ｃ）に示すように、分割表示領域ｒ２の画像が書き換えられて６ページ
目の画像が表示され、その次のページめくり処理では、図５（ｄ）に示すように、分割表
示領域ｒ３の画像が書き換えられて７ページ目の画像が表示される。
【００２０】
次に、記憶性表示体１６に図７（ａ）に示すページの画像が表示されているときに、利
用者によってタッチパネル１７が操作されて、逆方向のページめくり方向が指定された場
合を想定する。この場合、上述したステップＳＡ１２では、前回のページめくり方向とス
テップＳＡ１１にて特定されたページめくり方向とが異なるため、ページめくり方向が逆
転していると判定されて（ステップＳＡ１２：ＹＥＳ）、ステップＳＡ１３に進む。続い
て、ステップＳＡ１３では、記憶部１４に記憶されている領域特定情報Ｄ１が変更される
。
図８は、変更後の領域特定情報Ｄ２を示す図である。同図に示すように、この領域特定
情報Ｄ２においては、「領域番号」から１を引いた領域番号が「更新領域番号」として対
応付けられている。ただし、領域番号「０１」には、更新領域番号として「０４」が対応
付けられている。上述したように、記憶性表示体１６においては、分割表示領域ｒ１→ｒ
２→ｒ３→ｒ４の順番で画像の書き換えが行われる。つまり、この領域特定情報Ｄ２では
、分割表示領域の「領域番号」に対して、その分割表示領域よりも画像を書き換える順番
が１つ前の分割表示領域の領域番号が「更新領域番号」として対応付けられていることに
なる。
【００２１】
この場合、上述したステップＳＡ１６では、ステップＳＡ１１にて逆方向のページめく
り方向が特定されるため、記憶性表示体１６に表示されている画像のうち最後に表示され
た画像の１つ前のページが特定される。この例では、図７（ａ）に示した１０ページの画
像が最後に表示された画像であるため、この１０ページの１つ前のページ、すなわち９ペ
ージが特定される。そして、続くステップＳＡ１７では、９ページ目の画像を表す画像デ
ータが作成される。続いて、ステップＳＡ１８では、図８に示した領域特定情報Ｄ２にお
いて分割表示領域ｒ４の領域番号「０４」と更新領域番号「０３」とが対応付けられてい
るため、この領域番号「０３」が割り当てられた分割表示領域ｒ３が選択される。そして
、ステップＳＡ２０では、図７（ｂ）に示すように、記憶性表示体１６の分割表示領域ｒ
３の画像が書き換えられて、９ページ目の画像が表示される。ただし、この例では、図７
（ａ）にて分割表示領域ｒ３に表示されている画像のページと、新たに表示される画像の
ページとが同一であるため、分割表示領域ｒ３には図７（ａ）において表示されていた画
像と同じページの画像が再度表示されることになる。
【００２２】
このページめくり処理は、利用者によってタッチペンがタッチパネル１７上から離され
るまで繰り返される。利用者によってタッチペンがタッチパネル１７上から離された場合
、ＣＰＵ１１は、タイマーをストップして、ページめくり処理を中断する。このとき、利
用者によりタッチパネル１７が操作されて、記憶性表示体１６に表示されているいずれか
のページの画像が選択されると、ＣＰＵ１１は、選択されたページの画像を記憶性表示体
１６の表示領域の全体にわたって表示させる。なお、利用者によってタッチパネル１７が
操作されて、ページめくりの再開が指示された場合、ＣＰＵ１１は、タイマーをスタート
させて、ページめくり処理を再開する。
【００２３】
以上説明した実施形態によれば、表示領域全体の表示内容を一度に変更することなく、
表示されている画像とページ番号が連続する画像を表示することができる。また、このと
き、１つの分割表示領域に表示されている画像だけを書き換えているため、表示領域全体
に表示されている画像を書き換える場合に比べて、新たに画像を表示する処理を迅速に行
うことができる。加えて、画像の書き換え処理時の消費電力を減らすこともできる。さら
に、前回のページめくり方向が正方向であり、指定されたページめくり方向が逆方向であ
る場合には、図７に示したように、一定の方向のページ順序に沿って画像を表示すること
ができる。
【００２４】
［変形例］
以上が実施形態の説明であるが、この実施形態の内容は以下のように変形し得る。また
、以下の変形例を適宜組み合わせてもよい。
（変形例１）
上述した実施形態では、利用者によって指定されたページめくり方向が前回のページめ
くり方向に対して逆転している場合には、領域特定情報の変更を行っていたが、この領域
特定情報の変更は必ずしも行われなくてもよい。
図９は、この変形例において記憶性表示体１６の表示領域に表示される画像の一例を示
す図である。ここでは、図９（ａ）に示したページの画像が表示されているときに、利用
者によってタッチパネル１７が操作されて、逆方向のページめくり方向が指定された場合
を想定する。この場合、ＣＰＵ１１は、上述したステップＳＡ１１の処理を行った後、ス
テップＳＡ１２〜ＳＡ１３の処理を行わずにステップＳＡ１４以降の処理を行う。また、
ＣＰＵ１１は、上述したステップＳＡ１６において、ステップＳＡ１１にて特定したペー
ジめくり方向が逆方向である場合には、記憶性表示体１６に表示されている画像のうち、
ページ番号が最も小さい画像の前のページを特定する。つまり、ＣＰＵ１１は、順方向と
逆の方向の並び順序に従って画像を表示させるよう指示された場合には、記憶性表示体１
６の表示領域に表示されている画像のうち並び順序が最小の画像の１つ前の並び順序を特
定する。この例では、ステップＳＡ１１にて逆方向のページめくり方向が特定されるため
、図９（ａ）に示した画像の中でページ番号が最も小さい７ページの画像の前のページ、
すなわち６ページが特定される。そして、続くステップＳＡ１７では、６ページ目の画像
を表す画像データが作成される。続いて、ステップＳＡ１８では、図３に示した領域特定
情報Ｄ１において、分割表示領域ｒ４の領域番号「０４」と更新領域番号「０１」とが対
応付けられているため、領域番号「０１」が割り当てられた分割表示領域ｒ１が選択され
る。そして、ステップＳＡ２０では、図９（ｂ）に示すように、分割表示領域ｒ１の画像
が書き換えられて、６ページ目の画像が表示される。
【００２５】
（変形例２）
上述した実施形態では、ステップＳＡ１６〜ＳＡ１７の処理を行った後に、ステップＳ
Ａ１８の処理を行う例を挙げて説明したが、処理の順番は必ずしもこの例に限らない。例
えば、ステップＳＡ１８の処理を行った後に、ステップＳＡ１６〜ＳＡ１７の処理を行っ
ても構わない。
【００２６】
（変形例３）
上述した実施形態において、記憶性表示体１６の分割表示領域に表示される画像に対し
てカーソルが付加されていてもよい。
図１０は、このときに表示されるカーソルの一例を示す図である。図１０（ａ）に示す
カーソルＣ１及び図１０（ｂ）に示すカーソルＣ２は、いずれも１ページ目の画像を指し
ている。このカーソルは、ページ番号が一番大きい画像又はページ番号が一番小さい画像
を指していてもよいし、常に所定の分割表示領域の画像を指していてもよい。また、ペー
ジめくり速度が閾値よりも大きい場合には、カーソルを非表示にしてもよい。これにより
、利用者は、例えば操作部１５を用いてカーソルを移動させる操作を行い、所望のページ
の画像を選択することができる。
【００２７】
（変形例４）
上述した実施形態において、利用者の操作によって指定されたページめくり速度が閾値
よりも速い場合には、表示される画像の内容を変えてもよい。例えば、画像にイメージ画
像と文字とが含まれている場合には、このイメージ画像だけを表示させてもよい。また、
画像にアンダーラインやマーカーラインなどのアノテーション情報が付加されている場合
には、このアノテーション情報が付加されている部分だけを表示させてもよい。これは、
ページめくり処理が短い更新時間で行われる場合には、利用者は画像の細部を視認するこ
とができないため、画像の主要部だけを表示させた方が画像を識別しやすいためである。
【００２８】
（変形例５）
上述した実施形態では、ページめくり処理が開始されると、利用者の操作によってペー
ジめくり速度やページめくり方向が変更されたとしても、新たなページの画像が表示され
るまではページめくり速度やページめくり方向を変更することができない。そこで、この
ようなページめくり速度やページめくり方向の変更に対応する処理を行えるようにしても
よい。
図１１は、この変形例に係るページめくり処理を示すフロー図である。まず、ＣＰＵ１
１は、前回のページめくり速度に基づいて更新時間を設定する（ステップＳＢ１１）。続
いて、ＣＰＵ１１は、上述したステップＳＡ１５〜ＳＡ１７と同様の処理を行う（ステッ
プＳＢ１２〜ＳＢ１４）。続いて、ＣＰＵ１１は、ステップＳＡ１１と同様に、ＲＡＭ１
２に記憶されたページめくり情報に基づいて、利用者によって指定されたページめくり速
度及びページめくり方向を特定する（ステップＳＢ１５）。続いて、ＣＰＵ１１は、上述
したステップＳＡ１２と同様に、前回のページめくり方向に対して、ステップＳＢ１５に
て特定したページめくり方向が逆転しているか否かを判定する（ステップＳＢ１６）。例
えば、ページめくり方向が逆転している場合（ステップＳＢ１６：ＹＥＳ）、ＣＰＵ１１
は、上述したステップＳＡ１３と同様に、記憶部１４に記憶されている領域特定情報Ｄ１
を変更した後（ステップＳＢ１７）、ステップＳＢ１１に戻る。
【００２９】
一方、ページめくり方向が逆転していない場合（ステップＳＢ１６：ＮＯ）、ＣＰＵ１
１は、ページめくり速度が変更されたか否かを判定する（ステップＳＢ１８）。例えば、
前回のページめくり速度と、ステップＳＢ１５にて特定したページめくり速度とが同じで
ある場合、ＣＰＵ１１は、ページめくり速度が変更されていないと判定する（ステップＳ
Ｂ１８：ＮＯ）。この場合、ＣＰＵ１１は、ステップＳＢ１９〜ＳＢ２０の処理を行わず
にステップＳＢ２１に進む。一方、前回のページめくり速度と、ステップＳＢ１５にて特
定したページめくり速度とが異なる場合、ＣＰＵ１１は、ページめくり速度が変更された
と判定する（ステップＳＢ１８：ＹＥＳ）。この場合、ＣＰＵ１１は、ページめくり速度
が変更された後の経過時間が、上述したステップＳＢ１２にてスタートされたタイマーが
計測した計測時間よりも短いか否かを判定する（ステップＳＢ１９）。例えば、ページめ
くり速度を変更された後の経過時間がタイマーの計測時間よりも短い場合（ステップＳＢ
１９：ＹＥＳ）、ＣＰＵ１１はステップＳＢ２２に進む。一方、ページめくり速度を変更
された後の経過時間がタイマーの計測時間以上である場合（ステップＳＢ１９：ＮＯ）、
ＣＰＵ１１は、ステップＳＢ１５にて特定されたページめくり速度に応じて更新時間を変
更する（ステップＳＢ２０）。つまり、ＣＰＵ１１は、更新時間を設定した後にタッチパ
ネル１７が新たな操作を受け付けると、この新たな操作の内容に基づいて、設定した更新
時間を変更する。
【００３０】
続いて、ＣＰＵ１１は、上述したステップＳＡ１９と同様に更新時間が経過したか否か
を判定する（ステップＳＢ２１）。例えば、更新時間が経過していない場合（ステップＳ
Ｂ２１：ＮＯ）、ＣＰＵ１１は、上述したステップＳＢ１６に戻る。一方、更新時間が経
過した場合（ステップＳＢ２１：ＹＥＳ）、ＣＰＵ１１は、ステップＳＢ２２に進む。続
いて、ＣＰＵ１１は、上述したステップＳＡ１８と同様に、新たに画像が表示される分割
表示領域を選択する（ステップＳＢ２２）。そして、ＣＰＵ１１は、上述したステップＳ
Ａ２０と同様に、ステップＳＢ１４にて作成した画像データに応じた画像を、選択した記
憶性表示体１６の分割表示領域に表示させる（ステップＳＢ２３）。
これにより、ページめくり処理が開始されてから新たなページの画像が表示されるまで
の間に、利用者の操作によってページめくり速度やページめくり方向が変更されたとして
も、ページめくり速度やページめくり方向を変更することができる。
【００３１】
（変形例６）
上述した実施形態では、図７に示したように、上述したステップＳＡ１８にて選択され
た分割表示領域に表示されている画像のページと、新たに表示される画像のページとが同
一である場合には、既に表示されている画像が再度表示されるようになっている。そこで
、このような場合には、画像の書き換えを行わずに、カーソルを移動させるようにしても
よい。
図１２は、この変形例に係るページめくり処理を示すフロー図であり、図１３は、この
変形例において記憶性表示体１６の表示領域に表示される画像の一例を示す図である。こ
こでは、記憶性表示体１６には図１３（ａ）に示すページの画像と１０ページ目の画像を
指すカーソルＣ１とが表示されており、記憶部１４には、カーソル移動変数が記憶されて
いるものとする。このカーソル移動変数の初期値は「０」である。
【００３２】
まず、ＣＰＵ１１は、上述したステップＳＡ１１〜ＳＡ１３，ＳＡ１６，ＳＡ１８と同
様の処理を行う（ステップＳＣ１１〜ＳＣ１５）。ただし、ステップＳＣ１３において、
ＣＰＵ１１は、上述したステップＳＡ１３の処理に加えて、記憶部１４に記憶されている
カーソル移動変数を“表示領域の分割数−１−現在のカーソル移動変数の値”に設定する
。この例では、表示領域の分割数が「４」であるため、例えば現在のカーソル移動変数が
「０」である場合には、４−１−０＝「３」がカーソル移動変数として設定される。続い
て、ＣＰＵ１１は、設定されたカーソル移動変数が０であるか否かを判定する（ステップ
ＳＣ１６）。例えば、カーソル変数が０である場合、ＣＰＵ１１は、ステップＳＣ１７に
進み、上述したステップＳＡ１４〜ＳＡ１５，ＳＡ１７，ＳＡ１９〜ＳＡ２０と同様に、
ステップＳＣ１７〜ＳＣ２１の処理を行う。ただし、ステップＳＣ２１では、ステップＳ
Ｃ１５にて選択された分割表示領域に表示されている画像を指すようにカーソルが表示さ
れる。一方、この例のようにカーソル移動変数が０ではない場合（ステップＳＣ１６：Ｎ
Ｏ）、ＣＰＵ１１は、記憶部１４に記憶されているカーソル移動変数を１つ減らす（ステ
ップＳＣ２２）。続いて、ＣＰＵ１１は、カーソルの移動待機時間を設定する（ステップ
ＳＣ２３）。この移動待機時間は、予め定められた時間であってもよいし、ステップＳＣ
１７にて設定される更新時間と同一の時間であってもよい。続いて、ＣＰＵ１１は、タイ
マーをスタートさせて、時間の計測を開始する（ステップＳＣ２４）。続いて、ＣＰＵ１
１は、タイマーが計測した時間に基づいて、移動待機時間が経過したか否かを判定する（
ステップＳＣ２５）。移動待機時間が経過していない場合（ステップＳＣ２５：ＮＯ）、
ＣＰＵ１１は、移動待機時間が経過するまで待機する。一方、移動待機時間が経過した場
合（ステップＳＣ２５：ＹＥＳ）、ＣＰＵ１１は、記憶性表示体１６に表示されているカ
ーソルを移動させる（ステップＳＣ２６）。具体的には、ＣＰＵ１１は、ステップＳＣ１
５にて選択された分割表示領域に表示されている画像を指すようにカーソルを移動させる
。また、このとき、ＣＰＵ１１は、表示対象となる画像の表示を行わない。この例では、
図１３（ｂ）に示すように、分割表示領域ｒ３に表示されている画像を指すように、カー
ソルＣ１が移動される。
【００３３】
また、この変形例において、カーソルの表示は必ずしも行われなくてもよい。この場合
、ＣＰＵ１１は、上述したステップＳＣ２１においてカーソルの表示を行わず、また、上
述したステップＳＣ２６の処理も行わない。つまり、ＣＰＵ１１は、ステップＳＣ１５に
て選択されたいずれかの分割表示領域に、ステップＳＣ１４にて特定されたページの画像
（並び画像）が既に表示されている場合には、当該ページの画像（並び画像）の表示を行
わない。これにより、表示されている画像を書き換えて再び同じ画像を表示させる処理を
行わずに済むため、処理効率を向上させることができる。また、この場合、上述した移動
待機時間を「０」に設定しておけば、ページめくり方向が逆転したときに、利用者が既に
見終わっているであろう画像の表示に時間を割かずに済む。これにより、ページめくり方
向を速やかに逆転することができる。
【００３４】
（変形例７）
上述した実施形態では、タッチペンが接触された位置Ｐ０を通る直線を基準線Ｌとして
設定する例を挙げて説明したが、基準線Ｌの設定方法はこれに限らない。例えば、タッチ
ペンが接触された位置に関わらず、画面の中心点を通る図中ｘ方向に延びる直線を基準線
Ｌとして設定してもよい。また、タッチペンが接触された位置が画面の中心線よりも所定
の範囲よりも端部側の位置である場合には、基準線Ｌを中心線側にずらしてもよい。
【００３５】
（変形例８）
上述した実施形態では、タッチパネル１７が利用者の操作を受け付ける例を挙げて説明
したが、操作を受け付ける操作受付手段はこれに限らない。この操作受付手段としては、
例えばスクロールホイールやスクロールバーであってもよい。このスクロールバーは、ハ
ードウェアによって実現してもよいし、ＧＵＩ（Graphical User Interface）を用いてソ
フトウェア的に実現してもよい。この場合、ＣＰＵ１１は、これらの操作受付手段が受け
付けた操作の方向又は操作量に基づいて、上述したページめくり速度及びページめくり方
向を特定する。例えば、スクロールホイールが用いられた場合、ＣＰＵ１１は、以下のよ
うなページめくり速度及びページめくり方向を特定する。まず、ＣＰＵ１１は、スクロー
ルホイールが回転させられた方向が所定の方向である場合には、ページめくり方向として
順方向を特定し、所定の方向と逆の方向である場合には、ページめくり方向として逆方向
を特定する。また、ＣＰＵ１１は、スクロールホイールの単位時間当たりの回転量が大き
いほど、速いページめくり速度を特定し、スクロールホイールの単位時間当たりの回転量
が小さいほど、遅いページめくり速度を特定する。さらに、ＣＰＵ１１は、スクロールホ
イールの回転が停止された場合には、ページめくり処理を中断する。
また、上述した実施形態では、利用者によりタッチペンがタッチパネル１７から離され
たときに、ページめくり処理が中断されるようになっていたが、ページめくり処理の中断
を指示する操作を受け付ける手段はこれに限らない。例えば、操作部１５が、ページめく
り処理の中断を指示する操作を受け付けるストップボタンを備えていてもよい。
【００３６】
（変形例９）
上述した実施形態において、操作部１５は、１ページ分のページ送りを指示するための
ページ送りボタンや、１ページ分のページ戻りを指示するためのページ戻りボタンを備え
ていてもよい。
図１４は、この変形例に係る１ページ分のページめくり処理を示すフロー図である。ま
ず、ＣＰＵ１１は、操作部１５のページ送りボタン又はページ戻りボタンが押下されたか
否かを判定する（ステップＳＤ１１）。ページ送りボタン及びページ戻りボタンのいずれ
も押下されていない場合（ステップＳＤ１１：ＮＯ）、ＣＰＵ１１は、ページ送りボタン
又はページ戻りボタンのいずれかが押下されるまで待機する。一方、ページ送りボタン又
はページ戻りボタンのいずれかが押下された場合（ステップＳＤ１１：ＹＥＳ）、ＣＰＵ
１１は、ページめくり方向を特定する（ステップＳＤ１２）。具体的には、ＣＰＵ１１は
、ページ送りボタンが押された場合には、順方向のページめくり方向を特定し、ページ戻
りボタンが押された場合には、逆方向のページめくり方向を特定する。そして、ＣＰＵ１
１は、上述したステップＳＡ１２〜ＳＡ１３，ＳＡ１６〜ＳＡ１８，ＳＡ２０と同様の処
理を行う（ステップＳＤ１３〜ＳＤ１８）。これにより、上述した実施形態のように繰り
返しページめくりを行うのに加えて、１ページ分だけページめくりを行うこともできる。
【００３７】
（変形例１０）
上述した実施形態では、分割表示領域ｒ１〜ｒ４に４ページ分の画像が表示される例を
挙げて説明したが、分割表示領域に表示される画像はこれに限らない。
図１５は、この変形例において記憶性表示体１６の表示領域に表示される画像の一例を
示す図である。図１５（ａ）に示すように、分割表示領域ｒ１に１ページ目の画像を表示
させて、分割表示領域ｒ３に１ページ目の画像に関する関連情報を表示させ、分割表示領
域ｒ２に２ページ目の画像を表示させて、分割表示領域ｒ４に２ページ目の画像に関する
関連情報を表示させてもよい。この関連情報としては、例えば画像のタイトル、作成者の
ユーザ名、アノテーション情報、画像の内容の一部などが考えられる。このとき、例えば
順方向にページをめくるよう指示されると、図１５（ｂ）に示すように、分割表示領域ｒ
１，ｒ２には上述と同様に新たなページの画像が表示され、分割表示領域ｒ３，ｒ４には
、分割表示領域ｒ１，ｒ２に表示された新たなページの画像に関連する関連情報が表示さ
れる。
また、上述した実施形態では、１ページずつ画像が書き換えられていく例を挙げて説明
したが、複数ページずつ画像が書き換えられてもよい。例えば、２ページずつ画像を書き
換える場合、ＣＰＵ１１は、上述したステップＳＡ１６にて上述した実施形態と同様に特
定したページとそれに続くページとを特定し、さらに上述したステップＳＡ１８にて上述
した実施形態と同様に選択した分割表示領域とそれに続く分割表示領域とを選択する。
また、図１５（ｃ）に示すように、記憶性表示体１６の表示領域の端部に、１ページ〜
Ｎページ（最後のページ）のサムネイル画像が表示されてもよい。ただし、この場合にも
、新たに表示される画像のページは、サムネイル画像のページに基づいて特定されるわけ
ではなく、上述した実施形態と同様に、分割表示領域ｒ１〜ｒ４に表示されている画像の
ページに基づいて特定される。
【００３８】
（変形例１１）
上述した実施形態では、記憶性表示体１６が４つの分割表示領域に分割されて、各分割
表示領域にページの画像が表示される例を挙げて説明したが、分割表示領域の形状や分割
表示領域に表示される画像の内容はこれに限らない。
図１６は、この変形例における記憶性表示体１６の分割表示領域の一例を示す図である
。図１６（ａ）に示すように、記憶性表示体１６の表示領域のうち入力候補リストＱが配
置されている部分が、分割表示領域ｒ５〜ｒ７に分割されており、この分割表示領域ｒ５
〜ｒ７にテキストボックスＴに入力される入力候補を表す画像が表示されてもよい。この
入力候補を表す画像は、その並び順序が決められている。このとき、例えば順方向にペー
ジをめくるよう指示されると、上述と同様の処理が行われて、図１６（ｂ）に示すように
、分割表示領域ｒ５の画像が書き換えられて、入力候補３の１つ後の並び順序の入力候補
４を表す画像が表示される。
【００３９】
（変形例１２）
上述した実施形態において、表示装置１にて行なわれる各動作は、それぞれ、単一のハ
ードウェア資源によって実現されてもよいし、複数のハードウェア資源の協働によって実
現されてもよい。また、上述した実施形態において、表示装置１のＣＰＵ１１によって行
われる処理は、それぞれ、単一のプログラムによって実現されてもよいし、複数のプログ
ラムの組み合わせによって実現されてもよい。
【００４０】
（変形例１３）
上述した実施形態において、表示装置１のＣＰＵ１１によって実行される各プログラム
は、磁気テープや磁気ディスクなどの磁気記録媒体、光ディスクなどの光記録媒体、光磁
気記録媒体、半導体メモリなどの、コンピュータ装置が読み取り可能な記録媒体に記憶さ
れた状態で提供し得る。また、このプログラムを、インターネットのようなネットワーク
経由でダウンロードさせることも可能である。
【図面の簡単な説明】
【００４１】
【図１】実施形態に係る表示装置の構成を示すブロック図である。
【図２】上記表示装置の表示領域を説明する図である。
【図３】上記表示装置に記憶されている領域特定情報の一例を示す図である。
【図４】ページめくり速度及びページめくり方向を指定する操作を説明する図である。
【図５】上記表示装置にて表示される画像の一例を示す図である。
【図６】上記表示装置におけるページめくり処理を示すフロー図である。
【図７】上記表示装置にて表示される画像の一例を示す図である。
【図８】変更後の上記領域特定情報を示す図である。
【図９】変形例に係る上記表示装置にて表示される画像の一例を示す図である。
【図１０】変形例に係るカーソル表示の一例を示す図である。
【図１１】変形例に係るページめくり処理を示すフロー図である。
【図１２】変形例に係るページめくり処理を示すフロー図である。
【図１３】変形例に係る上記表示装置にて表示される画像の一例を示す図である。
【図１４】変形例に係る１ページ分のページめくり処理を示すフロー図である。
【図１５】変形例に係る上記表示装置にて表示される画像の一例を示す図である。
【図１６】変形例に係る上記表示装置の分割表示領域の一例を示す図である。
【符号の説明】
【００４２】
１…表示装置、１１…ＣＰＵ、１２…ＲＡＭ、１３…ＲＯＭ、１４…記憶部、１５…操作
部、１６…記憶性表示体、１７…タッチパネル。
【図１】
2010085816.tif 000003
【図２】
2010085816.tif 000004
【図３】
2010085816.tif 000005
【図４】
2010085816.tif 000006
【図５】
2010085816.tif 000007
【図６】
2010085816.tif 000008
【図７】
2010085816.tif 000009
【図８】
2010085816.tif 000010
【図９】
2010085816.tif 000011
【図１０】
2010085816.tif 000012
【図１１】
2010085816.tif 000013
【図１２】
2010085816.tif 000014
【図１３】
2010085816.tif 000015
【図１４】
2010085816.tif 000016
【図１５】
2010085816.tif 000017
【図１６】
2010085816.tif 000018